(57)【要約】【課題】  デジタル映像音声データの入力および直列式に他のデジタル映像音声装置を使用する機能を提供するとともに、デジタル映像音声データおよびスピーディーに曲指定する方法を提供する。【解決手段】  保存装置２０５、光ディスク装置２０３、デジタル映像音声データ入力装置２０７、デジタル映像音声データ出力装置２０１、制御装置およびマイクロプロセッサ２０４を備える。デジタル映像音声データ入力装置２０１の出力ソースは、ディスク、保存装置２０５に保存されたデジタル映像音声データ、およびデジタル映像音声入力装置２０７により入力されたデジタル映像音声データである。光ディスク装置２０３をデジタル映像音声データ入力装置２０１へ接続して放映に使用し、保存装置２０５へ接続してデータ入力およびデータ読取りに使用する。保存装置２０５はデジタル映像音声データおよび音声ファイルを保存する。【選択図】  図２
2005084672.tif 000002
【特許請求の範囲】
【請求項１】
ディスク上の第１デジタル映像音声データを入力する光ディスク装置と、
前記光ディスク装置へ接続し、前記光ディスク装置が読取った前記第１デジタル映像音声データを取得し、曲予約率により人気ランキングリストを提供し、前記デジタル映像音声データを処理するマイクロプロセッサと、
前記マイクロプロセッサへ接続し、前記マイクロプロセッサにより前記第１デジタル映像音声データを取得し、前記第１デジタル映像音声データを表示器へ出力するデジタル映像音声データ出力装置と、
前記マイクロプロセッサへ接続し、前記第１デジタル映像音声データを受信して保存し、保存されている第２デジタル映像音声データを前記マイクロプロセッサへ提供する保存装置と、
デジタル映像音声装置へ接続して第３デジタル映像音声データを提供し、前記マイクロプロセッサへ接続するとともに前記第３デジタル映像音声データを前記マイクロプロセッサへ伝送するデジタル映像音声データ入力装置と、
制御信号を前記マイクロプロセッサへ出力して制御する制御装置とを備え、
前記制御装置から出力された前記制御信号を前記マイクロプロセッサが受信すると、前記マイクロプロセッサはデジタル映像音声出力装置から前記第１デジタル映像音声データ、前記第２デジタル映像音声データおよび前記第３デジタル映像音声データを切換えて出力させることを特徴とするデジタル映像音声データ管理機能を有するデジタル映像音声歌唱装置。
【請求項２】
前記光ディスク装置のディスクフォーマットは、ＶＣＤ、ＤＶＤおよびＳＶＣＤであることを特徴とする請求項１記載のデジタル映像音声データ管理機能を有するデジタル映像音声歌唱装置。
【請求項３】
前記光ディスク装置はさらに書込装置を有し、前記書込装置は前記保存装置内の前記第１デジタル映像音声データまたは前記第２デジタル映像音声データを前記ディスクへ書込むことを特徴とする請求項１記載のデジタル映像音声データ管理機能を有するデジタル映像音声歌唱装置。
【請求項４】
前記マイクロプロセッサは前記制御装置の前記制御信号を受信すると、前記第１デジタル映像音声データ、前記第２デジタル映像音声データおよび前記第３デジタル映像音声データを管理することを特徴とする請求項１記載のデジタル映像音声データ管理機能を有するデジタル映像音声歌唱装置。
【請求項５】
前記マイクロプロセッサは前記制御装置の前記制御信号を受信すると、前記第２デジタル映像音声データの曲予約をすぐに行うことを特徴とする請求項１記載のデジタル映像音声データ管理機能を有するデジタル映像音声歌唱装置。
【請求項６】
前記マイクロプロセッサは、前記第１デジタル映像音声データ、前記第２デジタル映像音声データおよび前記第３デジタル映像音声データの処理を行うとき、少なくとも複製、伝送および変換の動作を含むことを特徴とする請求項１記載のデジタル映像音声データ管理機能を有するデジタル映像音声歌唱装置。
【請求項７】
前記デジタル映像音声装置は、カラオケ装置を有することを特徴とする請求項１記載のデジタル映像音声データ管理機能を有するデジタル映像音声歌唱装置。
【請求項８】
前記デジタル映像音声装置は、録画再生装置を有することを特徴とする請求項１記載のデジタル映像音声データ管理機能を有するデジタル映像音声歌唱装置。
【請求項９】
前記デジタル映像音声装置は、ＶＣＤ再生装置、ＤＶＤ再生装置またはＳＶＣＤ再生装置の少なくともいずれか一つを有することを特徴とする請求項１記載のデジタル映像音声データ管理機能を有するデジタル映像音声歌唱装置。
【請求項１０】
前記デジタル映像音声データ入力装置にテレビ信号線を接続してテレビ信号を入力することを特徴とする請求項１記載のデジタル映像音声データ管理機能を有するデジタル映像音声歌唱装置。
【請求項１１】
前記マイクロプロセッサは、前記テレビ信号線から入力された前記テレビ信号を録画して前記保存装置へ保存することを特徴とする請求項１０記載のデジタル映像音声データ管理機能を有するデジタル映像音声歌唱装置。
【請求項１２】
前記デジタル映像音声データ入力装置に外部音源装置を接続して音声信号を入力することを特徴とする請求項１記載のデジタル映像音声データ管理機能を有するデジタル映像音声歌唱装置。
【請求項１３】
前記マイクロプロセッサは、前記外部音源装置から入力された前記音声信号と録画中のテレビ信号とを結合し、新しいデジタル映像音声データを生成することを特徴とする請求項１２記載のデジタル映像音声データ管理機能を有するデジタル映像音声歌唱装置。
【請求項１４】
請求項１から１３のいずれか一項記載のデジタル映像音声データ管理機能を有するデジタル映像音声歌唱装置によるデジタル映像音声データ管理方法であって、
管理画面を呼出すステップと、
デジタル映像音声データを追加する指令を入力するステップと、
追加する前記デジタル映像音声データを選択するステップと、
前記デジタル映像音声データを受信するステップと、
属性データを含まない前記デジタル映像音声データに与える所定番号を指定して前記保存装置内へ保存し、前記属性データを含むデジタル映像音声データを前記保存装置内へ保存するステップと、
少なくとも前記デジタル映像音声データを追加する指令と、前記デジタル映像音声データを削除する指令と、属性データを編集する指令と、お気に入りリストを編集する指令とを含む管理指令を入力するステップと、
前記管理指令を完了するステップと、
を含むことを特徴とするデジタル映像音声データ管理方法。
【請求項１５】
前記管理画面を呼出すステップは、前記制御装置により前記管理画面を呼出す指令を入力することを特徴とする請求項１４記載のデジタル映像音声データ管理方法。
【請求項１６】
前記管理画面は放映画面と同一の画面にあることを特徴とする請求項１５記載のデジタル映像音声データ管理方法。
【請求項１７】
追加するデジタル映像音声データを選択するステップは、少なくとも前記光ディスク装置がデジタル映像音声データを取り込むことと、前記デジタル映像音声装置に保存したデジタル映像音声データを複製することと、テレビ信号を録画することとを含むことを特徴とする請求項１４記載のデジタル映像音声データ管理方法。
【請求項１８】
追加するデジタル映像音声データを選択するステップは、さらにインターネットからデジタル映像音声データをダウンロードすることを含むことを特徴とする請求項１４記載のデジタル映像音声データ管理方法。
【請求項１９】
前記管理指令を入力するステップにおいて、お気に入りリストを編集する指令は少なくとも前記お気に入りリストからデジタル映像音声データ名の追加、削除および保存確認のステップを含むことを特徴とする請求項１４記載のデジタル映像音声データ管理方法。
【請求項２０】
前記管理指令を入力するステップにおいて、前記属性データを編集する指令は少なくとも属性データの入力および確認と保存のステップを含むことを特徴とする請求項１４記載のデジタル映像音声データ管理方法。
【請求項２１】
前記属性データは、少なくともデジタル映像音声データの名称、歌手名、言語の種類および番号を含むことを特徴とする請求項１４記載のデジタル映像音声データ管理方法。
【請求項２２】
請求項１から１３のいずれか一項記載のデジタル映像音声データ管理機能を有するデジタル映像音声歌唱装置による選曲方法であって、
曲予約の指令を入力するステップと、
曲予約の画面を表示するステップと、
少なくとも番号曲予約、お気に入り曲予約、人気ランキング曲予約および分類曲予約のいずれかの曲予約方式を選択するステップと、
曲予約された曲のデータに基づいて放映を開始するステップと、
を含むことを特徴とする曲予約方法。
【請求項２３】
前記曲予約の画面は放映画面と同一の画面にあることを特徴とする請求項２２記載の曲予約方法。
【請求項２４】
前記番号曲予約は、少なくとも前記制御装置により番号を入力するステップと、必要なデジタル映像音声データを選択するステップとを含むことを特徴とする請求項２２記載の曲予約方法。
【請求項２５】
前記お気に入り曲予約は、少なくとも前記曲予約の画面にお気に入りリストを表示するステップと、表示されたお気に入りリストから所望のデジタル映像音声データを選択するステップとを含むことを特徴とする請求項２２記載の曲予約方法。
【請求項２６】
前記人気ランキング曲予約は、少なくとも前記予約の画面に人気ランキングリストを表示するステップと、表示された人気ランキングリストから所望のデジタル映像音声データを選択するステップとを含むことを特徴とする請求項２２記載の曲予約方法。
【請求項２７】
前記分類曲予約は、少なくとも属性の索引を入力するステップと、入力された前記属性の索引に関連するデジタル映像音声データを表示するステップとを含むことを特徴とする請求項２２記載の曲予約方法。
【請求項２８】
前記属性の索引は、少なくとも言語の種類、歌手名、デジタル映像音声データ名およびデジタル映像音声データ名の文字数のいずれか一つを含むことを特徴とする請求項２７記載の曲予約方法。
【発明の詳細な説明】
【技術分野】
【０００１】
本発明は、デジタル映像音声歌唱装置に関し、特に、デジタル映像音声データ管理機能を有するデジタル映像音声歌唱装置およびデジタル映像音声データの管理とスピーディーに曲予約を行う方法に関する。
【背景技術】
【０００２】
時代の進歩に伴い、レジャーライフを重視する考えが次第に生まれ、休暇になると人々は一緒に出掛けるか、食事しながらおしゃべりをするようになった。そして最もよく見かけるレジャー活動の一つは仲間と共に歌を歌うことである。そのため、カラオケは次第に人々のレジャー活動において重要なものとなった。
一般に市販されているカラオケ装置の内部にある歌曲データはメーカにより提供されるため、ユーザは購入後、変更することが困難であった。また使用する際、必ずリモコンを手に持ち、分厚い歌本をめくって歌に対応する番号を入力するか、メーカにより設定された歌手分類系統により一つ々々対応する歌手をサーチする必要があった。歌を予約する際、通常、制御装置により番号を入力するか、あるいは一般のカラオケ店で使用しているように、放映画面と曲予約画面が分離された装置により歌曲を選択する。
【０００３】
しかし、上で述べた従来のカラオケ装置には歌曲の変更が困難であるという普遍的な問題があった。そのためメーカから出荷時に装置内に設定された歌曲データ以外に、自ら歌曲データを追加したり編集したりする場合、非常に大きな問題となっていた。ユーザが好みの歌曲を見つけた場合でも、データの提供あるいはサービスを追加するようにメーカへ頼む以外に、歌曲のデータディスク（例えばＶＣＤ／ＤＶＤ／ＳＶＣＤ）を自分で買って追加することも容易ではなかった。メーカの協力により歌曲を更新したとしても、歌曲データのサーチ機能が不足しているため、ユーザはメーカが提供した原本の歌本上へ追加された歌曲データをバラバラに記載することができるだけであった。
【０００４】
従来のカラオケ装置には歌曲の予約が困難であるという欠点もあり、歌曲を予約する際、曲番を一生懸命に記憶するか、或いはメーカが提供する分厚くびっしりと書かれた歌本を調べなければならなかった。あるカラオケ装置の方式は歌手により歌を予約するが、この方法では歌手名を直接入力して探すことはできず、予め設定された非常に大きな歌手分類リストから歌手名を選択することは非常に面倒で時間がかかった。
【０００５】
曲予約画面と放映画面とを分ける方法は歌曲を選択する際、ユーザが行ったり来たりしなければならず、非常に面倒であった。そのため多人数で入る小さな場所（例えば、カラオケボックス）での使用は、ユーザにとって非常に不便であった。従来のカラオケ装置は単独の機能しかなく、新しいカラオケ装置を購入した後にも古いカラオケ装置を使用する場合には別に新しい表示器を購買するか、或いは使用する度に慌てて新しいカラオケ装置を表示器から取り除いて古いカラオケ装置を取り付ける必要があり、非常に不便であった。
そのため、従来のカラオケ装置には歌曲資料追加の不便さ、歌曲資料を管理する困難さ、予約方式の悪さ、予約画面と放映画面の分離、そして単独の機能のみという欠点があった。
【発明の開示】
【発明が解決しようとする課題】
【０００６】
したがって、上述したように従来のカラオケ装置には不便な歌曲資料の追加、困難な歌曲資料の管理、悪い予約方式、良好な曲予約インターフェイスの不足、そして単独の機能のみという欠点があった。本発明はデジタル映像音声データの入力および直列式に他の映像音声装置を使用する機能、デジタル映像音声データの管理、スピーディーに曲予約をする方法、そして放映画面と同一画面上にある曲予約画面を提供する。
【０００７】
本発明の第１の目的は、デジタル映像音声データを入力する機能を提供することにある。この機能によりユーザは自分好みのデジタル映像音声データを入力することができ、好みにより更新補充し、メーカが提供する変更できないデータに頼る必要性をなくす。
本発明の第２の目的は、他のデジタル映像音声装置を直列式にして使用する機能を提供することにより、本発明のデジタル映像音声歌唱装置をその他のデジタル映像音声装置（例えば、その他のカラオケ装置、録画再生装置、ＶＣＤ／ＤＶＤ再生機など）に外部接続し、これらデジタル映像音声装置は本発明のデジタル映像音声歌唱装置により表示器上にデジタル映像音声データを放映することができる。そして、もしデジタル映像音声装置に保存データがある場合、本発明のデジタル映像音声歌唱装置の保存装置内へこのデータを複製することもできる。
【０００８】
その他のデジタル映像音声装置を外部接続する以外に、本発明のデジタル映像音声歌唱装置はテレビ信号線および外部音源装置を外部接続する機能も提供する。また録画機能を提供し、テレビを放映すると同時に好みの番組を録画して内部の保存装置内へ保存することもできる。また録画の過程において、外部音源装置を利用して音声情報および録画したテレビ番組を入力して結合（例えば、テレビ番組を録画する時にマイクで歌を歌って、録画する番組に、それ自身の内容以外に歌声を含める。）することもできる。
【０００９】
本発明の第３の目的は、保存されたデジタル映像音声データの管理方法を提供することにある。この管理方法は多くのデジタル映像音声データを効率的に管理することができ、この管理方法の分類整理により、スピーディーな曲予約の検索を実施する。
本発明の第４の目的は、スピーディーな曲予約の方法を提供することにある。この方法はスピーディーなサーチに必要なデジタル映像音声データの機能を提供する。この方法には少なくとも番号、お気に入り、人気ランキングおよび分類項による四種類の曲予約方式が含まれる。
本発明の第５の目的は、曲予約と放映を同時に行い相反しない曲予約の画面を提供することにある。曲予約画面と放映画面を分離する方法と異なり、本発明では曲予約画面と放映画面は同一画面上にあるため、ユーザは元の場所で直接に装置を制御して曲予約することができ、行ったり来たりする必要がない。
【課題を解決するための手段】
【００１０】
本発明のデジタル映像音声データ管理機能を有するデジタル映像音声歌唱装置は、光ディスク装置、デジタル映像音声データ出力装置、保存装置、デジタル映像音声データ入力装置、マイクロプロセッサおよび制御装置を含む。マイクロプロセッサを使用してデジタル映像音声データの各種動作をおこない、制御装置の命令を受信して本発明のデジタル映像音声歌唱装置の各種機能の制御と、曲予約率の統計をとって「人気ランキング」リストおよびテレビ番組を録画する機能を提供する。光ディスク装置を使用してディスク・フォーマットにより保存されたデジタル映像音声データ（例えばＶＣＤ／ＤＶＤ／ＳＶＣＤなど）も、普通の映像音声放映装置に使用することができるようにして、データを保存装置へ保存せずにディスク上に含まれるデジタル映像音声データを放映することができるようにする。また、ユーザが保存装置内のデジタル映像音声データをディスクへ書込むことができる書込み装置も含む。デジタル映像音声データ入力装置は本発明のデジタル映像音声歌唱装置へ、その他のデジタル映像音声データ装置、外部音源装置およびテレビ信号線を外部接続する機能を提供する。
【００１１】
保存装置はデジタルディスク入力装置から取入れたデータ、録画したテレビ番組、外部接続されたデジタル映像音声装置内部に保存されたデジタル映像音声データの複製物およびインターネットからダウンロードしたデジタル映像音声データを保存することができる。デジタル映像音声データ入力装置はデジタル映像音声データを放映する機能を提供し、それが放映するデータソースはディスク、保存装置中に保存されたデジタル映像音声データあるいはデジタル映像音声データ入力装置を通じて入力されたデジタル映像音声データでもよい。
【００１２】
本発明のもう一つの態様はデジタル映像音声データの管理方法であり、少なくとも次のステップを含む。制御装置により追加するデジタル映像音声データの指令を入力した後、デジタル映像音声データを入力および保存し、制御装置により既に保存されたデジタル映像音声データに対して管理の実行を指令し、その管理指令は「お気に入り」リストの編集と、デジタル映像音声データ属性の編集と、保存されたデジタル映像音声データを削除する指令を含む。制御装置により更新あるいは追加する属性データを入力する。この属性データは少なくともデジタル映像音声データ名、歌手名、言語別および番号などを含む。この管理方法はまた本発明のデジタル映像音声データ歌唱装置内部のマイクロプロセッサによりデジタル映像音声データの曲予約率を自動的に統計するとともに、統計結果を「人気ランキング」リストへ表示する。本発明の好適な実施例の「人気ランキング」リストにはデジタル映像音声データの曲予約率におけるトップ１００が含まれる。
【００１３】
本発明のもう一つの態様はスピーディーな曲予約方法であり、少なくとも次のステップを含む。制御装置により曲予約の指令を入力し、曲予約の画面を表示し、曲予約の方式を選択する。この曲予約方式は少なくとも番号、お気に入り、人気ランキングおよび分類項による四種類の曲予約方式を含み、必要なデジタル映像音声データを選択した後に放映を開始する。
上で述べたデジタル映像データの管理および曲指定の画面は曲指定画面と同一画面上にあり、従来のような２種類の画面が分離した方式とは異なる。
【発明の効果】
【００１４】
本発明は、デジタル映像音声データの入力および管理、スピーディーな曲予約、良好な曲予約画面および他のデジタル映像音声装置を直列接続して使用するなどの機能を提供するだけでなく、さらにはパーソナルデジタル録画再生装置、パーソナルデジタルディスク再生装置、パーソナルカラオケの三台が一体化された長所を提供することもできる。
【発明を実施するための最良の形態】
【００１５】
図１は本発明のデジタル映像音声歌唱装置の好適な実施例と他の外部装置の関係を示すブロック図である。デジタル映像音声歌唱装置１０３を外部音源装置１０５、デジタル映像音声装置１０７、テレビ信号線１０８に結合してデジタル映像音声データと音声情報を入力し、表示器１０１により出力する。ディスク１０２をデジタル映像音声歌唱装置１０３のデータダウンロード、直接放映のソースあるいはデータの書込みに使用する。外部音源装置１０５は音声ファイルを入力するのに使用する。デジタル映像音声装置１０７およびテレビ信号線１０８をデジタル映像音声歌唱装置１０３へ接続し、デジタル映像音声データの供給ソースにする。制御装置１０９を指令および文字を入力するインターフェイスにする。表示器１０１を使用してデジタル映像音声歌唱装置１０３のデジタル映像音声データ出力の受信および表示を行う。
【００１６】
デジタル映像音声歌唱装置１０３はディスク１０２上に保存したデジタル映像音声データを取入れる以外にディスク１０２を直接に放映することもでき、またディスク１０２を使用してデジタル映像音声歌唱装置１０３内部に保存したデータ・バックアップを書込む。
デジタル映像音声装置１０７はＡＶあるいはＳ端子のデジタル映像音声装置（カラオケ装置、録画再生装置、ＶＣＤ／ＤＶＤ再生装置など）とデジタル映像音声歌唱装置１０３を直列式にして使用することができる。直列式に使用するとはデジタル映像音声装置１０７をデジタル映像音声歌唱装置１０３に直結した後、ユーザはデジタル映像音声装置１０７あるいはデジタル映像音声歌唱装置１０３の使用を選択してデジタル映像音声データを放映することである。デジタル映像音声装置１０７へ切換えると、それ本体の制御装置を使用して指令を入力し、デジタル映像音声装置１０７が保存のデジタル映像音声データを放映し、デジタル映像音声歌唱装置１０３へ切換えると、デジタル映像音声歌唱装置１０３のデジタル映像音声データを放映することができる。
【００１７】
表示器１０１を使用してデジタル映像音声歌唱装置１０３の放映、管理およびスピーディーな曲予約画面を表示する。本発明のもう一つの長所は曲予約および再生画面が同一画面上にあることであり、この構造は図４において詳しく述べる。
制御装置１０９の使用によりデジタル映像音声歌唱装置１０３の動作を制御し、指令および文字を入力するインターフェイスとする。ユーザは制御装置１０９へ英文、アラビア数字あるいは中国語を入力することにより、属性編集あるいは曲予約をおこなう。本発明の好適な実施例において、制御装置１０９は無線リモコン器であり、中国語の入力は注音および総画数によりおこなう。
【００１８】
本発明の好適な実施例から分かるように、本発明は、デジタル映像音声データの入力および管理と、スピーディーな曲予約および良好な曲予約画面と、他のデジタル映像音声装置の直列式使用を提供するなどといった長所を有する。本発明はさらにパーソナルデジタル録画再生装置、パーソナルデジタルディスク再生装置、パーソナルカラオケの三台が一体化した機能を提供する。本発明の好適な実施例の内部構造を図２と合わせて以下で詳しく説明する。
【００１９】
図２は図１の好適な実施例の内部装置を示したもので、それは本発明の好適な実施例の内部装置および外部装置の関係を示したブロック図である。図１の符号および説明については、ここでは繰り返して述べない。同時に図１および図２を参照すること。デジタル映像音声歌唱装置１０３はデジタル映像音声データ入力装置２０１、光ディスク装置２０３、保存装置２０５、デジタル映像音声データ入力装置２０７およびマイクロプロセッサ２０４を含む。
【００２０】
デジタル映像音声データを出力するデジタル映像音声データ入力装置２０１を表示器１０１へ接続する。デジタル映像音声データ入力装置２０１の出力ソースはディスク、保存装置中に保存されたデジタル映像音声データ、およびデジタル映像音声入力装置２０７により入力されたデジタル映像音声データでよい。
光ディスク装置２０３を使用してディスク・フォーマットにより保存されたデジタル映像音声データ（例えばＶＣＤ／ＤＶＤ／ＳＶＣＤなど）も、普通の映像音声放映装置に使用することができ、データを保存装置２０５へ保存せずにディスク上に含まれるデジタル映像音声データを放映することができる。さらに書込みバックアップの機能も含み、ユーザは保存装置内のデジタル映像音声データをディスクへ書込むことができる。光ディスク装置２０３をデジタル映像音声データ入力装置２０１へ接続して直接放映に使用し、保存装置２０５へ接続してデータ入力およびデータ読取りに使用する。
【００２１】
保存装置２０５はデジタル映像音声データおよび音声ファイルを保存するのに使用し、そのデータソースはディスク、外部接続のデジタル映像音声装置内に保存されたデータの複製物およびテレビ番組の録画ファイルでもよい。
本発明の好適な実施例中において、デジタル映像音声入力装置２０７はＡＶ端子およびＳ端子のインターフェイスを含み、これを使用して外部音源装置１０５、デジタル映像音声装置１０７およびテレビ信号線１０８へ接続する。
【００２２】
マイクロプロセッサ２０４を使用して上で述べたデジタル映像音声データの各種動作を処理するとともに、各機能を制御し、制御装置の命令を受信して本発明のデジタル映像音声歌唱装置の各機能を制御する。
図３は本発明の好適な実施例によるデジタル映像音声データ管理方法において、デジタル映像音声データの入力および管理を示す流れ図である。まずステップ３０１において、制御装置を通して管理画面を呼出す。ステップ３０２は、管理画面で追加するデジタル映像音声データの指令を入力する。ステップ３０３は、追加するデジタル映像音声データを選択し、このステップにおいてディスク上のデジタル映像音声データの選択と、デジタル映像音声装置内部に保存したデータの複製と、テレビ番組あるいはインターネットからダウンロードしたデジタル映像音声データの記録とを実施することができる。ステップ３０５において、本発明のデジタル映像音声歌唱装置は入力するデジタル映像音声データを受信し、この映像音声データが属性データを含まない場合ステップ３０７へ進み、マイクロプロセッサ２０４が所定の番号を与えた後にステップ３０９を実行し、保存装置内へデータを保存する。入力された映像音声データベースに属性データが含まれる場合ステップ３０９へ進んで保存を行う。ステップ３０９の後、何の動作も行わない場合、ステップ３２３へ進んで次の指令を待つ。デジタル映像音声データの管理機能を実行する時はステップ３１１へ入って管理指令を入力する。
【００２３】
管理指令は少なくとも属性資料の追加、削除、編集および「お気に入り」リスト編集の指令を含む。もし追加の指令を選択した場合、ステップ３０２に戻って再び上述のデジタル映像音声データを追加する各ステップを実行し、もし削除の指令を選択した場合、ステップ３１７に入って削除する目標を選択し、確認後にステップ３１９へ入って削除動作を実施し、削除が完了した後にステップ３２３へ入って次の指令を待つ。属性編集の指令を入力するとステップ３１３へ進んで属性データを入力する。その後、ステップ３１５へ進んで更新後の属性データを確認して保存し、保存した後はステップ３２３へ進んで次の指令を待つ。「お気に入り」を編集する時はステップ３２０へ入って「お気に入り」リストを編集し、その後にステップ３１５で変更後の「お気に入り」の確認と保存を行い、保存した後にステップ３２３へ進んで次の指令を待つ。
図４はスピーディーな曲予約の方法を示す流れ図である。ステップ４０１において、管理画面で曲予約の指令を入力した後、ステップ４０２に入ると曲予約の画面が表示される。続いて、ステップ４０３において曲予約の方式を選択する。曲予約の方式には番号、お気に入り、人気ランキングおよび分類項による曲予約が含まれる。
【００２４】
番号による曲予約を選択すると、ステップ４０５に進んで番号を入力した後、ステップ４１５において必要なデジタル映像音声データを選択し、続いてステップ４１７で放映する。「お気に入り」による曲予約を選択すると、ステップ４０７へ進んで曲予約画面上に「お気に入り」リストが表示され、その後、ステップ４１５において必要なデジタル映像音声データを選択し、ステップ４１７で放映する。人気ランキングによる曲予約を選択すると、ステップ４０９に進んで「人気ランキング」リストを表示し、その後、ステップ４１５において必要なデジタル映像音声データを選択してからステップ４１７で放映を開始する。分類項による曲予約を選択すると、ステップ４１１に進んで属性索引を入力し、ここで入力する属性索引は少なくともデジタル映像音声データ名、歌手名、デジタル映像音声データ名の文字数（例えば、三文字、五文字などを入力する。）および言語の入力を含む。ステップ４１３において、曲予約の画面上に入力する属性索引に関連したデジタル映像音声データ（例えば、三文字を入力するとデジタル映像音声データ名の文字数が三文字であるデジタル映像音声データを表示し、英語を入力すると言語が英語であるデジタル映像音声データを表示する。）を表示した後、ステップ４１５において必要なデジタル映像音声データを選択すると、ステップ４１７で放映を開始する。ステップ４１７で放映する時にもステップ４０３の曲予約の指令を実行することができるため、放映実行には影響を与えない。
【００２５】
図５は管理画面および放映画面の関係を示す。１０１は図１における表示器１０１であり、５０１はデジタル映像音声データの放映画面であり、５０３は管理画面である。図に示すように、デジタル映像音声データの放映画面５０１および放映画面５０３は同一画面上に位置し、管理画面５０３は上記の管理デジタル映像音声データの指令を含む。
図６は曲予約画面と放映画面との関係を示す。１０１は図１における表示器１０１であり、６０１はデジタル映像音声データの放映画面であり、６０３は曲予約画面である。図から分かるようにデジタル映像音声データ放映画面６０１および曲予約画面６０３は同一画面上に位置するが、これは本発明の特徴の一つである。これによりユーザは放映画面と管理画面の間を行ったり来たりする必要がなくなる。放映画面６０３は上述の曲予約指令を入力するインターフェイスを含む。
【００２６】
本発明では好適な実施形態を前述の通り開示したが、これらは決して本発明を限定するものではなく、当該技術を熟知するものなら誰でも、本発明の精神と領域を脱しない範囲内で各種の変動や潤色を加えることができる。従って本発明の保護の範囲は、特許請求の範囲で予約した内容を基準とする。
【図面の簡単な説明】
【００２７】
【図１】本発明の好適な実施例と他の外部装置の関係を示すブロック図である。
【図２】図１の好適な実施例の内部装置および外部装置との接続を示すブロック図である。
【図３】本発明の好適な実施例によるデジタル映像音声データの入力および管理を示す流れ図である。
【図４】デジタル映像音声データの曲指定方法を示す流れ図である。
【図５】管理画面と放映画面の関係を示す図である。
【図６】曲指定画面と放映画面の関係を示す図である。
【符号の説明】
【００２８】
１０１  表示器、１０２  ディスク、１０３  デジタル映像音声歌唱装置、１０５  外部音源装置、１０７  デジタル映像音声装置、１０８  テレビ信号線、１０９  制御装置、２０１  デジタル映像音声データ入力装置、２０３  光ディスク装置、２０４  マイクロプロセッサ、２０５  保存装置、２０７  デジタル映像音声データ入力装置、５０１  放映画面、５０３  管理画面、６０１  放映画面、６０３  曲予約画面
【図１】
2005084672.tif 000003
【図２】
2005084672.tif 000004
【図３】
2005084672.tif 000005
【図４】
2005084672.tif 000006
【図５】
2005084672.tif 000007
【図６】
2005084672.tif 000008